(57)【要約】     【課題】 従来の経路切替方法、伝送装置及びネットワークに於いて、連結された複数のパスにより所定の伝送帯域が設定された複数の通信経路間で経路切替を行うと、移転元経路のパスの一部を削除することにより、通信経路の帯域が一時的に狭まってしまうという課題があった。また、これを解決する為に大容量のバッファメモリを搭載しようとすると伝送装置が高価になってしまうという課題があった。    【解決手段】 連結された複数のパスにより所定の伝送帯域が設定された複数の通信経路間で切替を行う通信経路切替方法であって、前記切替の途中に於いて、移転元の経路に属するパス数と、移転先の経路に属するパス数との合計が、前記経路切替手順の開始前に設定されていたパス数を下回ることが無い様に連結されるパス数を制御することを特徴とする。【選択図】図１
2009253958.tif 000002
【特許請求の範囲】
【請求項１】
連結された複数のパスにより所定の伝送帯域が設定された複数の通信経路間で切替を行う通信経路切替方法であって、
前記切替の途中に於いて、移転元の経路に属するパス数と、移転先の経路に属するパス数との合計が、前記経路切替手順の開始前に設定されていたパス数を下回ることが無い様に連結されるパス数を制御することを特徴とする通信経路切替方法。
【請求項２】
前記所定の伝送帯域の設定はバーチャルコンカチネーション処理により行われることを特徴とする請求項１記載の通信経路切替方法。
【請求項３】
前記ネットワークは経路移転元である第１の経路と経路移転先である第２の経路とを有し、
前記経路切替手順は、
前記第１又第２の経路にｍ本のパスを追加する第１のステップと、
前記第１の経路からｎ本（ｎ≦ｍ）のパスを削除すると共に
前記第２の経路にｎ本のパスを追加する第２のステップと、
を有し、前記第２の経路のパス数が、
前記経路切替手順の開始前に前記第１の経路に設定されていたパス数と同じかそれ以上になるまで前記第２のステップを繰り返す
ことを特徴とする、請求項１又は２記載の通信経路切替方法。
【請求項４】
前記ネットワークはSONET/SDH回線であることを特徴とする請求項１乃至請求項３のいずれかの請求項に記載された通信経路切替方法。
【請求項５】
前記バーチャルコンカチネーション処理にはLCASが適用されていることを特徴とする請求項１乃至請求項４のいずれかの請求項に記載された通信経路切替方法。
【請求項６】
連結された複数のパスにより所定の伝送帯域が設定された複数の通信経路でネットワークを構成する伝送装置であって、
通信経路切替の途中に於いて、移転元の経路に属するパス数と、移転先の経路に属するパス数との合計が、前記経路切替手順の開始前に設定されていたパス数を下回ることが無い様に連結されるパス数を制御する経路切替手段を有することを特徴とする伝送装置。
【請求項７】
前記所定の伝送帯域の設定はバーチャルコンカチネーション処理により行われることを特徴とする請求項６記載の伝送装置。
【請求項８】
前記経路切替手段は、移転元又は移転先の経路にｍ本のパスを追加した後、
移転先の経路にｎ本（ｎ≦ｍ）のパスを追加した後に移転元の経路よりｎ本のパスを削除するという手順を、
移転先に設定されるパス数が、前記経路切替手順の開始前に設定されていたパス数と同じになるまで繰り返すことを特徴とする、請求項６又は７記載の伝送装置。
【請求項９】
前記ネットワークはSONET/SDH回線であることを特徴とする請求項６乃至請求項８のいずれかの請求項に記載された伝送装置。
【請求項１０】
前記バーチャルコンカチネーション処理にはLCASが適用されていることを特徴とする請求項６乃至請求項９のいずれかの請求項に記載された伝送装置。
【請求項１１】
複数のパスを連結して１つの伝送帯域を構成するバーチャルコンカチネーション処理が適用されたネットワークを構成する伝送装置であって、
前記伝送装置は、イーサネット回線送受信部と、GFP処理部と、VCAT/LCAS受信処理部と、
SONET/SDH回線送受信処理部とで構成されるEOS伝送通信装置であり、
前記VCAT/LCAS受信処理部は
通信経路切替手順の途中に於いて、移転元の経路に属するパス数と、移転先の経路に属するパス数との合計が、前記経路切替手順の開始前に設定されていたパス数を下回ることが無い様に連結されるパス数を制御する経路切替手段を有することを特徴とする伝送装置。
【請求項１２】
複数のパスを連結して所定の伝送帯域を構成するネットワークシステムであって、
相互に接続された複数の伝送装置を有し、
前記複数の伝送装置の各々は通信経路切替手順の途中に於いて、移転元の経路に属するパス数と、移転先の経路に属するパス数との合計が、前記経路切替手順の開始前に設定されていたパス数を下回ることが無い様に連結されるパス数を制御する経路切替手段を有し、ことを特徴とするネットワークシステム。
【請求項１３】
前記所定の伝送帯域の構成はバーチャルコンカチネーションにより行われることを特徴とする請求項１２記載のネットワークネットワークシステム。
【請求項１４】
前記経路切替手段は、移転元又は移転先の経路にｍ本のパスを追加した後、
移転先の経路にｎ本（ｎ≦ｍ）のパスを追加した後に移転元の経路よりｎ本のパスを削除するという手順を
移転先に設定されるパス数が、前記経路切替手順の開始前に設定されていたパス数と同じになるまで繰り返すことを特徴とする、
請求項１２又は１３記載のネットワークネットワークシステム。
【請求項１５】
前記ネットワークはSONET/SDH回線であることを特徴とする請求項１２乃至請求項１４のいずれかの請求項に記載されたネットワークネットワークシステム。
【請求項１６】
前記バーチャルコンカチネーション処理にはLCASが適用されていることを特徴とする請求項１２乃至請求項１５のいずれかの請求項に記載されたネットワークネットワークシステム。
【発明の詳細な説明】
【技術分野】
【０００１】
本発明は、経路切替方法、伝送装置及びネットワークに関し、特に無瞬断通信経路切替方法、伝送装置及びネットワークに関する。
【背景技術】
【０００２】
近年、インターネットの普及をはじめとし、高精細な映像情報やデータ通信サービスの高速化、QoS(Quality of Service)に対する要望はますます高まっている。これを満たす多重伝送方式の一つにSDH（Synchronous Digital Hierarchy）がある。SDHは国際標準としてITU-T勧告G.703に規定されており、各種高速サービスだけでなく既存の低速サービスをも有効に多重化できる利点がある。従来の低速サービスでは、一般にイーサネット（Ethernet）（登録商標）が利用されており、これを利用したEOS(Ether over SONET)技術として、ITU-T勧告G.7041のGFP（Generic  Framing  Procedure）、ITU-Ｔ勧告G.707のVCAT(Virtual Concatenation)、ITU-T勧告G.7042のLCAS（Link Capacity Adjustment Scheme）が新たに標準化された。
【０００３】
GFPはイーサネットをはじめとする上位プロトコルを効率的にSDHにマッピングするためのフレーミング技術である。従来のSDHでは、伝送単位であるVC3=約50Mbps、VC4=約150Mbpsが用いられるが、これらはイーサネット回線速度10Mbps、100Mbps、1Gbps、10Gbpsを伝送するには適していない。これを改善する技術がVCATである。VCATは任意のVCを任意の本数分結合させVCG(VCAT Group)を構成することが出来る。これにより、例えばVC4-7vを構成すると約1.05Gbpsとなり、1Gbpsのイーサネットデータを伝送するのに適したものになる。しかしながら、あらかじめ設定されたVCGを変更する場合はVCG設定を解除し、新たに再設定を必要とするため、この間は継続したパケット通信を行うことができない。この問題に対処すべく提案されたLCASにより、近年、VCGを構成するVCの追加、削除をも無瞬断で実施することが可能となった。
【０００４】
EOS通信装置の機能ブロックを図１１に、従来のEOS通信網を図９、１０に示す。EOS通信装置９０３は、イーサネット通信装置９０２より送信されたEtherフレームをイーサネット回線受信処理部１１０９にて受信し、GFP送信処理部１１０８のバッファに送る。バッファにて蓄えられたEtherフレームは順次、GFPフレームにカプセル化されVCAT/LCAS送信処理部１１０７へ送られた後、バーチャルコンカチネーションのVCGにマッピングされる。そして、SDH/SONET回線送信処理部１１０６で、運用保守情報を転送するためのオーバヘッドと共にSTMフレームに格納され、SDH/SONET回線へと出力される。
【０００５】
他方、SDH/SONET回線よりデータを受信すると、SDH/SONET回線受信処理部１１０５でSDH/SONETフレームと同期を取りながら、フレーム内のVCパスをVCAT/LCAS受信処理部１１０４へ送信する。VCAT/LCAS受信処理部１１０４はVCGを構成するVCの位相同期をとり、GFPフレームが多重されているVCのペイロード部分を取り出し、GFP受信処理部１１０３へ送信する。GFP受信処理部１１０３は、送られてきたペイロード部分からGFPフレームの同期を検出し、GFPフレームの抽出を行った後、Etherフレームへのデカプセル化を行いバッファメモリに蓄積する。ここで蓄積されたEtherフレームは順次、イーサネット回線送信部１１０２へ送られ、イーサネット回線へ出力される。このようにして、EOS通信装置９０３はイーサネット回線のフレームをSDH/SONET回線を使って遠方のイーサネット回線へ伝送することが出来る。
【０００６】
従来、VCAT通信経路を変更する場合、既存のVCAT通信経路を削除し、移転先に新たなVCAT通信経路を設定する必要がある。このため、経路変更中はパケット通信の出来ない問題があった。ところで近年、提案されたVCAT技術の一つにLCASがある。LCASはVCGのメンバの追加/削除による帯域増減を無瞬断で実施することを可能とする。これにより、フレキシブルな帯域増加/減少が可能となる。加えて、移転元パスをVCGのメンバから削除し、移転先のパスとして新たに同VCGメンバに登録することによりEOS通信経路の切替をも可能となる。しかしながら、LCAS制御による経路切替では、移転元経路のパスをVCGから削除することにより、EOS通信経路の帯域が一時的に狭まるため、対向イーサネット通信装置にPause フレームが送信される。この結果、対向イーサネット通信装置のバッファがオーバフローすることによるパケットロスが発生する恐れがあった。
【０００７】
なお、LCASを用いたシステムの回線制御方式としては、特開2003-258728の段落0018にLCASに適用可能なクロスコネクト機能について記載されている。しかし特開2003-258728にて提案されている方法は、クロスコネクトまたはスイッチの増設を容易にして拡張性を高める方法であり、その中でLCASは将来的に拡張性を高める一手段として紹介されているに過ぎない。このため、LCASの使用法としてはカットスルーやSWを利用する際の帯域の増減を目的とした従来の利用法に限られている。
【０００８】
【特許文献１】特開2003-258728号公報  （第３頁、図７）
【発明の開示】
【発明が解決しようとする課題】
【０００９】
従来の経路切替方法、伝送装置及びネットワークにおいては次のような課題がある。
【００１０】
第１の課題は、経路切替の為、移転元経路のパスの一部を削除することにより、通信経路の帯域が一時的に狭まるということである。その為、切替前の通信伝送帯域がこの一時的に狭まった帯域幅を上回る場合、その差分を伝送することが出来ず、一時的に送信側にてバッファリングを行う必要が発生する。この結果、バッファがオーバフローすることによるパケットロスが発生する恐れがあった。
【００１１】
この課題はLCAS制御を用いたとしても、対向のイーサネット通信装置７０２にてパケットロスの発生する恐れがあり解消できない。その理由は、通常、SDH/SONET通信帯域とイーサネット通信帯域は、高効率の面から等しい通信帯域にて運用されるが、LCAS制御による経路AのVCGメンバ削除は一時的なSDH/SONET通信の狭帯域化を伴う。その為、イーサネット回線からのパケット受信を止めるべく、イーサネット回線送信処理部１１０２はPause フレームを対向イーサネット通信装置９０２に送信する。この結果、対向装置のバッファがパケットを蓄積し、やがてバッファの容量を超えてしまいオーバフローする可能性があるからである。
【００１２】
第２の課題は、イーサネット通信装置９０２が高価になるということである。その理由は、第１の課題を解決する為に大容量のバッファメモリを搭載しようとすると、その分高価になるからである。
本発明の第１の目的は、経路切替時の一時的な狭帯域化を防止し、パケットロスを生じさせない、経路切替方法、伝送装置及びネットワークを提供することにある。
本発明の第２の目的は、装置のバッファメモリを増加させることがなく、従ってコストの上昇を抑えた経路切替方法、伝送装置及びネットワークを提供することにある。
【課題を解決するための手段】
【００１３】
上記目的を達成する為に、本発明の通信経路切替方法は、連結された複数のパスにより所定の伝送帯域が設定された複数の通信経路間で切替を行う通信経路切替方法であって、前記切替の途中に於いて、移転元の経路に属するパス数と、移転先の経路に属するパス数との合計が、前記経路切替手順の開始前に設定されていたパス数を下回ることが無い様に連結されるパス数を制御することを特徴とする。
【００１４】
また、上記目的を達成する為に、本発明の伝送装置は連結された複数のパスにより所定の伝送帯域が設定された複数の通信経路でネットワークを構成する伝送装置であって、通信経路切替の途中に於いて、移転元の経路に属するパス数と、移転先の経路に属するパス数との合計が、前記経路切替手順の開始前に設定されていたパス数を下回ることが無い様に連結されるパス数を制御する経路切替手段を有することを特徴とする。
【００１５】
また、上記目的を達成する為に、本発明のネットワークシステムは、複数のパスを連結して１つの伝送帯域を構成するネットワークシステムであって、相互に接続された複数の伝送装置を有し、前記複数の伝送装置の各々は通信経路切替手順の途中に於いて、移転元の経路に属するパス数と、移転先の経路に属するパス数との合計が、前記経路切替手順の開始前に設定されていたパス数を下回ることが無い様に連結されるパス数を制御する経路切替手段を有することを特徴とする。
【発明の効果】
【００１６】
以上説明したように、本発明の経路切替方法、伝送装置及びネットワークでは、以下に記載するような効果を奏する。
【００１７】
第１の効果は、経路切替時の一時的な狭帯域化を防止できるということである。その理由は、前記切替の途中に於いて、移転元の経路に属するパス数と、移転先の経路に属するパス数との合計が、前記経路切替手順の開始前に設定されていたパス数を下回ることが無い様に連結されるパス数を制御しているからである。
【００１８】
第2の効果は、通信装置のコストアップの抑制を実現できることである。その理由は通信装置に一時的な狭帯域化によるパケットの一時的な保持の為に必要な大容量のバッファメモリを搭載することなく経路切替を実現できるためである。
【発明を実施するための最良の形態】
【００１９】
図１を参照すると、本発明の第１の実施の形態としての経路切替方法が示されている。１０１は経路切替部、１０２は複数パスが連結された伝送帯域、１０３は切替の移転元経路、１０４は切替の移転先経路、１０５は移転元経路に属する複数のパス、１０６は移転先経路に属する複数のパスである。これらは概略的には次の様な動作を行う。経路切替手順の開始前には、伝送帯域１０２は移転元の経路１０３に属する複数パス１０５が連結されて構成されている。経路切替手順の終了後には伝送帯域１０２は移転先の経路１０４に属する複数パス１０６が連結されて構成されることになる。経路切替手順の経過途中に於いては、移転元の経路１０３に属するパスを徐々に減らしつつ、移転先の経路１０４に属するパスを増加させていく。その際、経路切替部１０１は、移転元の経路１０３に属するパスのパス数と移転先の経路１０４に属するパスのパス数との合計が、経路切替手順の開始前に設定されていたパス数を下回ることが無い様に、連結されているパス数を制御する。従って、経路切替途中での一時的な狭帯域化を防止できるという効果が得られる。また一時的な狭帯域化によるパケットの一時的な保持の為に必要な大容量のバッファメモリを搭載する必要がないので、その分の実現コストの上昇を抑えることが出来るという効果も得られる。
【００２０】
図２を参照すると、本発明の第２の実施の形態としての経路切替方法が示されている。
【００２１】
２０１は連結処理部、２０２はパス設定部、２０３は設定された複数のパスの接続、２０４は複数パスが連結された回線である。また、２０５は対向側の連結処理部、２０６は対向側パス設定部、２０７は設定された複数のパスの接続、２０８は複数パスが連結された回線である。更に２０９は経路Ａ、２１０は経路Ｂ、２１１は経路Ａに属するパス、２１２は経路Ｂに属するパスである。
【００２２】
これらは概略的として次の様な動作を行う。パス設定部２０２は経路Ａ（２０９）及び経路Ｂ（２１０）に属する複数のパス（２１１、２１２）より連結しようとするパスを選択し、連結処理部（２０１）にパスを接続する。接続処理部（２０１）ではパス設定部（２０２）に設定された複数のパスを連結し、複数パスが連結された回線（２０４）として接続される。連結処理部（２０１）に於ける連結処理方法は、当業者には良く知られており、また本発明とは直接関係しないのでその詳細な説明は省略するが具体的な例としては複数パスが連結された回線（２０４）に到着したパケットを到着順に複数のパスに振り分けるとしても良いし、ＩＴＵ−ＴのＧ．７０７バーチャルコンカチネーション技術で規格化されている技術であってもよい。また連結されるパスは、IEEE802.3adで標準化されているリンク・アグリゲーション技術のようにイーサネットのリンク（パス）を連結する技術でも良いし、前記ＩＴＵ−ＴＧ．７０７バーチャルコンカチネーション技術で規格化されているような仮想的なパスの連結であっても良い。
【００２３】
一方、対向側のパス設定部（２０６）では、送信側のパス設定部（２０２）にて設定された複数パスと同じパスがそれぞれ選択されるよう設定され（２０７）、対向側の連結処理部（２０５）に接続されている。経路Ａ或いは経路Ｂの複数のパスを経由して到着した信号は対向側の連結処理部（２０５）にて連結処理が行われ、最終的に複数パスが連結された回線（２０８）に変換される。
【００２４】
図２において、通信経路を経路Aから経路Bに通信経路を切り替える場合の動作を図３及び図４のフローチャートを参照して説明する。図３に於いて、(a)は切替前の状態（図４の「開始」に相当）、(b)は経路Ｂにパスを追加した状態（図４のステップＡ１に相当）、(c)は切替途中（図４のステップＡ２に相当）、(d)は切替完了時（図４の「終了」に相当）である。また、説明の簡単の為、図３は連結される複数パスは経路Ａ、経路Ｂにそれぞれ４本、合計８本が記載されており、また各ステップにて切り換える本数は１本ずつの例が示されている。
【００２５】
切替前（切替処理手順開始前）の状態に於いては、図３(a)の状態となっている。即ち切替元の経路である経路Ａのみの複数パス４本が連結対象のパスとして設定されている（図４の「開始」の状態、図３の(a)）。切替処理手順開始後、先ずは切替先の経路である経路Ｂに連結対象となるパスを１本追加する（図４のステップＡ１、図３の(b)）。これによって、連結対象となる複数パスの本数は５本となる。次に、切替元の経路Ａよりパスを１本削除すると共に、経路Ｂにパスを１本追加する（ステップＡ２）。経路Ａからのパスの削除と経路Ｂへのパスの追加の順序はどちらが先でも構わない。ステップＡ１にて連結対象となる複数パスの本数は５本となっているので、仮に経路Ａからのパスの削除が先であっても、削除時点では連結対象パスのパス数は４本であり、切替前のパス数を下回ることはないからである。
【００２６】
ステップＡ２を実行後、切替先に属するパスのパス数が、切替前のパス数と同数以上であるかを判断する（ステップＡ３）。これまでの動作から分かるようにステップＡ２の最初の通過後は図３の(c)に示すとおり、切替先の経路Ｂが２本であり、切替前の合計本数４本に満たないので、ステップＡ２を繰り返す。ステップＡ２の実行を所定回数繰り返し、経路Ｂに属するパス数が４本になると、ステップＡ３の条件を満たす。その後経路Ａにパスが残っている場合はそのパスを削除して（ステップＡ４）切替処理は完了となる（図４の「終了」状態、図２の(d)）。
【００２７】
以上説明したように、本実施の形態に於いては、以下に記載するような効果を奏する。
【００２８】
第１の効果は、経路切替時の一時的な狭帯域化を防止できるということである。その理由は、前記切替の途中に於いて、移転元の経路に属するパス数と、移転先の経路に属するパス数との合計が、前記経路切替手順の開始前に設定されていたパス数を下回ることが無い様に連結されるパス数を制御しているからである。
【００２９】
第2の効果は、通信装置のコストアップの抑制を実現できることである。その理由は通信装置に一時的な狭帯域化によるパケットの一時的な保持の為に必要な大容量のバッファメモリを搭載することなく経路切替を実現できるためである。
【００３０】
図５を参照すると、本発明の第３の実施の形態としての経路切替方法が示されている。
【００３１】
イーサネット通信装置５０２より伝送されたEtherフレームはEOS通信装置５０３で受信される。EOS通信装置の機能ブロックを図６に示す。EOS通信装置において受信されたEtherフレームはイーサネット回線受信部６０９を経由し、GFP送信処理部のバッファメモリに送られる。バッファメモリに蓄えられたEtherフレームは順次、GFPフレームにカプセル化されVCAT/LCAS送信処理部６０７へ送られた後、バーチャルコンカチネーションのVCGにマッピングされる。ただし、VCAT/LCAS送信処理部はイーサネットを伝送する為に必要な帯域であるVC-3/4-NvよりVC-3/4帯域増加したVC-3/4-(N+1)vの伝送能力を有する。例えば、GbE(Gigabit Ethernet)ではVC-3-21vまたはVC-4-7vでフル帯域伝送を行えるが、本手法ではさらにVC-3/4帯域増やしたVC-3-22vまたはVC-4-8vの処理能力を有する。VGGにマッピングされたGFPフレームは、SDH/SONET回線送信処理部６０６において、運用保守情報を転送するためのオーバヘッドと伴にSTMフレームに格納され、SDH/SONET回線へと出力される。
【００３２】
他方、SDH/SONET回線より受信されたSTMフレームは、SDH/SONET回線受信処理部６０５で受信したSTMフレームと同期を取りながら、フレーム内のVC(Virtual Container)をVCAT/LCAS受信処理部６０４へ送信する。VCAT/LCAS受信処理部６０４は６０７と同様、イーサネット伝送帯域がVC-3/4-Nvに対し、VC-3/4の帯域処理能力を増やしたVC-3/4-（N+1）v の帯域処理能力を持つ。VCAT/LCAS受信処理部６０４はVCGを構成するVCからGFPフレームが多重されているVCのペイロード部分を取り出し、GFP受信処理部６０３へ送信する。GFP受信処理部６０３は、送られてきたペイロード部分からGFPフレームの同期を検出し、GFPフレームの抽出を行った後、Etherフレームへのデカプセル化を行いバッファメモリに蓄積する。ここで蓄積されたEtherフレームは順次、イーサネット回線送信部６０２へ送られ、イーサネット回線へ出力される。このようにして、EOS通信装置６０１はイーサネット回線のEtherフレームをSDH/SONET回線を使って遠方のイーサネット回線へ伝送することが出来る。
【００３３】
図５においてEOS通信装置５０３と５０６は、イーサネットを伝送するために必要な帯域であるVC-3/4-NvよりVC-3/4帯域増加したVC-3/4-(N+1)vの伝送能力を有する。図５の経路Aから経路BにEOS通信経路を切り替える場合、経路Aで用いられているSDH伝送単位VC-3/4のパスをLCAS制御により経路Bを通るパスとして経路AのVCGのメンバに追加する。この結果、一時的にSDH/SONET通信装置間の伝送帯域は経路BのVC3またはVC4の帯域の分だけ増加する。つまり、イーサネット回線側の伝送速度VC-3/4-Nvに対し、SDH/SONET回線側の伝送速度がVC-3/4-(N+1)vとなる。従って、LCASを用いて一時的にVC-3/4のパスを経路AのVCGからメンバ削除を行った場合においても、Pause フレームをイーサネット回線に送信することは無く、対向イーサネット通信装置５０２または５０５のバッファオーバフローによるパケットロスは発生することはない。
【００３４】
続いて、経路Aから削除した数のVC-3/4を、経路Bを通るパスとしてVCGのメンバに追加する。以後、経路Aを通るVCAT帯域がなくなるまでメンバ削除、経路BのVCAT帯域メンバ追加を繰り返す。ただし、経路Aを通る最後のVC-3/4はVCGから削除後、再びメンバに追加する必要は無い。なぜなら、経路切替開始時に、経路BにVC-3/4のパスを予め追加しているためである。これら帯域削除/追加をLCAS制御により実施するため、結果として無瞬断な経路変更が可能となる。
【００３５】
このようにして、本発明ではVCAT帯域の経路を切り替える場合、イーサネットを伝送する為に必要なVCAT帯域VC-3/4-Nvに対し、さらにVC-3/4を加えたVC-3/4-(N+1)v分の処理能力をEOS通信装置に持たせることで、パケットロスのない無瞬断な経路切替が実現され、高品質な通信サービスを常時提供することができる。
【００３６】
図７において、EOS通信装置７０３が経路Aから経路BにEOS通信経路を切り替える場合の動作を図８のフローチャートを参照して説明する。EOS装置７０３、７０６のVCAT/LCAS送信処理部６０７とVCAT/LCAS受信処理部６０４は、経路Aにて設定されているVC-3/4-Nvに対し、VC-3/4 -(N+1)vの帯域処理能力を有するものとする。
【００３７】
経路AのEOS通信を経路Bへ切り替える際、EOS通信装置７０３のVCAT/LCAS送信処理部６０７がLCAS制御にて経路Bに新たなパスを設定し、これを経路AのVCGとして追加する。このとき、経路Bに設定されるパスは、経路Aにて用いられているSDH伝送単位VC-3/4と同等のものである。このため、一時的に、EOS通信装置７０３とEOS通信装置７０６間を結ぶSDH/SONET回線容量はVC-3/4分だけ増加される(図８のステップＢ２)。LCAS制御により、経路BのパスがVCGメンバに登録された後、経路Aを通るVC-3/4をVCGメンバから削除する。このとき、SDH/SONET回線網を通るVCAT帯域は経路切替作業前と同等のものとなるため（ステップＢ４）、LCAS、VCAT送信処理部６０７がイーサネット回線送信処理部６０２に対しPause フレームの送信を指示することはない。つまり、Pause フレームにより対向のイーサネット通信装置７０２のバッファがオーバフローすることはない。
【００３８】
経路AのパスがVCGメンバから削除されたことをVCAT/LCAS送信処理部６０７とVCAT/LCAS受信処理部６０４が認識すると、経路Bを通るパスを再度VCGメンバに登録する(ステップＢ７)。以後、経路AのパスをVCGメンバから削除し、経路Bを通るパスとして再度VCGメンバに追加する手順を、経路Aを通るパスが無くなるまで繰り返す(ステップＢ５)。ただし、経路Aを通る最後のVC-3/4パスは削除後、経路BのパスとしてVCGメンバに追加する必要は無い。なぜなら、経路切替作業開始時に予め経路Bにパスを設定しVCGメンバに追加しているためである(ステップＢ２)。
【００３９】
このように本発明では、経路を変更するVCAT帯域VC-3/4-Nvに対しVC-3/4-(N+1)v帯域分の処理能力をVCAT/LCAS送信処理部６０７、VCAT/LCAS受信処理部６０４に備えさせることにより、EOS通信の帯域を狭めることなくLCAS制御による経路移転を行うことができる。これは、イーサネット回線送信処理部６０２からのPause フレーム送信を伴わないため、EOS通信経路切替の際に対向イーサネット通信装置にてバッファオーバフローによるパケットロスのない通信が継続できる。
【００４０】
なお、上記の実施形態では、VCAT及びLCASが適用されたEOS通信経路に於ける切替制御方式として説明されているがこれに限られるものではない。即ち、LCASが適用されていないネットワークに於いても、切替時の瞬断を許容すれば適用可能である。
【００４１】
以上説明したように、本実施の形態に於いては、以下に記載するような効果を奏する。
【００４２】
第１の効果は、LCAS制御によるVCGメンバ削除の際に対向イーサネット通信装置へのPause フレーム送信を抑制させ、バッファオーバフローによるパケットロスのない経路切替可能としていることである。その理由は、一般的に実運用で必要となるVCAT帯域よりVC-3/4分だけ多い帯域処理能力をVCAT/LCAS送信処理部６０７、VCAT/LCAS受信処理部６０４に備えさせることにより、切替時の一時的な狭帯域化を防いでいるからである。
【００４３】
第2の効果は、EOS通信装置のコストアップの抑制を実現できることである。その理由はイーサネット通信装置に大容量のバッファメモリを搭載することなくLCAS制御による経路切替を実現できるためである。
【図面の簡単な説明】
【００４４】
【図１】本発明の第１の実施形態の機能ブロック図である。
【図２】本発明の第２の実施形態の機能ブロック図である。
【図３】本発明の第２の実施形態の動作の説明の為の図である。
【図４】本発明の第２の実施形態の動作の説明の為のフローチャートである。
【図５】本発明の第３の実施形態の説明図である。
【図６】本発明の第３の実施形態のEOS通信装置の機能ブロック図である。
【図７】本発明の第３の実施形態の動作の説明図である。
【図８】本発明の第３の実施形態の動作の説明の為のフローチャートである。
【図９】従来のEOS通信網の図である。
【図１０】従来のEOS通信網の図である。
【図１１】従来のEOS通信装置の機能ブロック図である。
【符号の説明】
【００４５】
１０１            経路切替部
１０２            複数パスが連結された伝送帯域
１０３            切替の移転元経路
１０４            切替の移転先経路
１０５            移転元経路に属する複数のパス
１０６            移転先経路に属する複数のパス
２０１            連結処理部
２０２            パス設定部
２０３            設定された複数パスの接続
２０４            複数パスが連結された回線
２０５            対向側の連結処理部
２０６            対向側のパス設定部
２０７            設定された複数パスの接続
２０８            複数パスが連結された回線
２０９            経路Ａ
２１０            経路Ｂ
２１１            経路Ａに属するパス
２１２            経路Ｂに属するパス
５０１,７０１,９０１,１００１            SDH/SONET回線網
５０２,５０５,７０２,７０５,９０２,９０６,１００２,１００６  イーサネット通信装置
５０３,５０６,７０３,７０６,９０３,９０５,１００３,１００５  EOS通信装置
５０４,５０７,７０４,７０７,９０４,１００４  SDH/SONET通信装置
６０１,１１０１          EOS通信装置
６０２,１１０２          イーサネット回線送信処理部
６０３,１１０３          GFP受信処理部
６０４,１１０４          VCAT/LCAS受信処理部
６０５,１１０５          SDH/SONET受信処理部
６０６,１１０６          SDH/SONET送信処理部
６０７,１１０７          VCAT/LCAS送信処理部
６０８                GFP送信処理部
６０９                イーサネット回線受信処理部
【図１】
2009253958.tif 000003
【図２】
2009253958.tif 000004
【図３】
2009253958.tif 000005
【図４】
2009253958.tif 000006
【図５】
2009253958.tif 000007
【図６】
2009253958.tif 000008
【図７】
2009253958.tif 000009
【図８】
2009253958.tif 000010
【図９】
2009253958.tif 000011
【図１０】
2009253958.tif 000012
【図１１】
2009253958.tif 000013